(57)【要約】      （修正有）【課題】簡単な操作で薬粒を取り出すことができる錠剤の薬粒取り出し器を提供する。【解決方法】幅広の棘ぬき型式のＵ字状の形状であり、バネになるようにＵ字状にしてあり、上段１の端の部分には、左に普通の大きさのタイプ、右に大きいタイプの凸型の丸形、又は、角形の突起物４、５を付けておき、下段２の端には上部の突起物が入るように、左に普通サイズのタイプ、右に大きいサイズのタイプの穴の溝６、７を開けておき、その穴の溝６、７の上にシートに包まれた薬粒を置いておき、上段１を下に下ろすと、上段１の突起物４、５が下段２の薬粒の上に落ちて、シートを破って薬粒を取り出すことができる。【選択図】図２
0003214161.tif 000002
【実用新案登録請求の範囲】
【請求項１】
幅広の棘ぬき型式のＵ字状の形状であり、一方はバネになるようにコの字状にしてあり、もう一方はまっすぐの二段であり、上段の端の部分に二個、左に普通の大きさのタイプ、右に大きいタイプの凸型の丸形、又は、角形の突起物を付けておき、下段の端には上部の突起物が入るように二個、左に普通サイズのタイプ、右に大きいサイズのタイプの穴の溝を開けておき、その穴の溝の上にシートに包まれた薬粒を置いておき、上段を下に下ろすと、上段の突起物が下段の薬粒の上に落ちて、シートを破って薬粒を取り出すことができることを特徴とする、幅広の棘ぬき型式、錠剤の薬粒取り出し器。
【請求項２】
幅広の棘ぬき型式のＵ字状の形状であり、一方はバネになるようにコの字状にしてあり、もう一方はまっすぐの二段であり、上段の端の部分に二個、左に普通の大きさのタイプ、右に大きいタイプの凸型の丸形、又は、角形の突起物を付けておき、下段の端には上部の突起物が入るように二個、左に普通サイズのタイプ、右に大きいサイズのタイプの穴
0003214161.tif 000005
付けておき、シートに包まれた薬粒を穴の溝の上において、上段を下に下ろすと、上段の突起物が下段の薬粒の上に落ちて、シートを破って薬粒を取り出すことができることを特徴とする、幅広の棘ぬき型式、錠剤の薬粒取り出し器。
【請求項３】
幅広の棘ぬき型式のＵ字状の形状であり、一方はバネになるようにコの字状にしてあり、もう一方はまっすぐの二段であり、上段の端の部分に三個、左に小の大きさのサイズのタイプ、中に中の大きさのサイズのタイプ、右に大きいサイズのタイプの凸型の丸形、又は、角形の突起物を付けておき、下段の端には上部の突起物が入るように三個、左に小のサイズ、中に中のサイズ、右に大のサイズの穴の溝を開けておき、その穴の溝の上にシートに包まれた薬粒を置いておき、上段を下に下ろすと、上段の突起物が下段の薬粒の上におちて、シートを破って薬粒を取り出すことができることを特徴とする、幅広の棘ぬき型式、錠剤の薬粒取り出し器。
【請求項４】
幅広の棘ぬき型式のＵ字状の形状であり、一方はバネになるようにコの字状にしてあり、もう一方はまっすぐの二段であり、上段の端の部分に三個、左に小の大きさのサイズのタイプ、中に中の大きさのサイズのタイプ、右に大きいサイズのタイプの凸型の丸形、又は、角形の突起物を付けておき、下段の端には上部の突起物が入るように三個、左に小
0003214161.tif 000006
溝の上に置いて、上段を下に下ろすと、上段の突起物が下段の薬粒の上に落ちて、シートを破って薬粒を取り出すことを特徴とする、幅広の棘ぬき型式、錠剤の薬粒取り出し器。
【考案の詳細な説明】
【技術分野】
【０００１】  飲み薬の錠剤の薬粒をシートから取り出すことに関するものである。
【背景技術】
【０００２】  飲み薬の錠剤の薬粒をシートから取り出す器具はあまり存在しない。
【先行技術】
【０００３】１、  片手、両手の親指、日尾とさし指、中指などでつまんで、シートの中の薬粒を押し    、ひねったりして、シートを破って薬粒を出す。
２、  押し器具でシートの表から押して薬粒を出す。
３、  いろいろなナイフやハサミで錠剤のシートを切って、薬粒を出す。
４、  他人に薬粒を出してもらう。
【考案の概要】
【０００４】  幅広の棘ぬき型式で、一方はバネになるようにＵ字状であり、もう一方はまっすぐの二段で上段の先端には二個の凸型の突起物を左に普通サイズタイプと右に大きいサイズタイプと突起物を付けておき、もう一方の下段の先端部分には上部の突起物が入る位置に二個、左に普通サイズ、右に大きいサイズの突起物より大きい穴の溝を開けておく。下段の穴の溝の上に薬粒の大きさを選別して、シートに包まれた薬粒を置いておいて、取手を絞って、上段を下すとシートに包まれた薬粒を押して、シートを破って薬粒を取り出すことができることを特徴とする、幅広の棘ぬき型式、錠剤の薬粒取り出し器。
【考案が解決しようとする課題】
【０００５】  飲み薬の錠剤の粒をシートから取り出す時には、高齢者や身体障碍者になると指先が麻痺したり、力不足になったり、指先が痛くなったり、力が入らなくなったりして、上手く取り出すことができないことが多い。簡単な操作と方法で薬粒を取り出すことができれば高齢者や身体障碍者にとっては良報となる。
【考案を解決するための手段】
【０００６】  本考案は幅広の棘ぬき型式でＵ字状の形状であり、素材はプラスチック、ステンレス、セラミック、合成樹脂製、フッ素樹脂製などで造り、一方の端はバネのあるコ字状であり、もう一方の上段の先端はまっすぐで二個、左右横に丸、又は、角型の突起物を付けておく。下段の先端には二個、左右に上部の突起物が入るように突起物より大きい穴の溝を開けておく。突起物が入る穴の大きさは普通サイズ、１０×１５ｍｍ、大きいサイズ、１６×２０ｍｍの二種類とする。
シートに包まれた薬粒とシートの寸法はいろいろとあるが下記のとおりである。
シートのヨコの寸法×タテの寸法                シートの中にある薬粒の寸法
▲１▼  １５×１５ｍｍ                                ９×  ９ｍｍ
▲２▼  １５×２５ｍｍ                                ６×１５ｍｍ
▲３▼  １７×３５ｍｍ                              １０×１０ｍｍ
▲４▼  １８×１８ｍｍ                                ８×  ８ｍｍ
▲５▼  ２０×１４ｍｍ                                ４×１４ｍｍ
▲６▼  ２０×２０ｍｍ                              １０×１０ｍｍ
▲７▼  ２２×４０ｍｍ                          ４〜１７×１０ｍｍ
▲８▼  ２２×４０ｍｍ                        １７〜２０×１０ｍｍ
従って、薬粒の大きさに対する穴は普通サイズ、１０〜１５ｍｍであり、大きいサイズ、１６〜２０ｍｍ穴の溝をつくっておくことにより、いろいろなサイズに対応する。シートの大きさはいろいろとあるが、手でシートに包まれた薬粒を穴の溝の上におくことで解決する。
【考案の効果】
【０００７】  高齢者や身体障碍者になると薬をのむ機会が多くなる。親指や人差し指の力が衰えたり、震えたり、痛くなったりして錠剤の薬粒をシートから取り出すことには苦痛を伴い困難になる。本考案を使用すると取手の部分を下げるだけで突起物が穴の上に置いた薬粒をシートから取り出すことができるので、高齢者や身体障碍者だけでなく、一般の人々にも大変に助かり便利となる、幅広の棘ぬき型式、錠剤の薬粒取り出し器。
【図面の簡単な説明】
【０００８】
【図１】正面図  （１）開いた図  （２）閉じた図
【図２】側面図  （１）開いた図  左、右  （２）閉じた図  左、右
【図３】上からの図
【図４】下からの図
【図５】突起物の図  （１）丸型  （２）角型
【図６】
0003214161.tif 000003
0003214161.tif 000004
【図７】シートに包まれた薬粒
【図８】突起物と穴の溝が三個の場合で開いた時の図  （１）正面図  （２）側面図  左  右  （３）斜め図
【符号の説明】
【０００９】▲１▼  幅広の棘ぬき型式の器具の上段
▲２▼  幅広の棘ぬき型式の器具の下段
▲３▼  幅広の棘ぬき型式の器具のバネの部分
▲４▼  左の普通サイズの突起物
▲５▼  右の大きいサイズの突起物
▲６▼  左の普通サイズの穴の溝
▲７▼  右の大きいサイズの穴の溝
▲８▼  下段の箱型の受け皿
▲９▼  薬粒
▲１０▼  シート
【考案を実施するための形態】
【００１０】１、薬粒の大きさを普通サイズ、大きいサイズに選別する。
２、シートに包まれた薬粒を普通サイズ（１０×１５ｍｍ）は左の穴の上に、大きいサイ    ズ（１６×２０ｍｍ）は右の穴の上に置く。一個ずつでもよいし、二個を同時でもよ    い。
３、取手を絞って、上段の突起物をシートに包まれた薬粒と穴の上に下ろす。
４、錠剤の薬粒のシートが破れて、薬粒が穴の下や箱型の受け皿の中へ落ちる。
５、薬剤を拾い出す。又は、受け皿に入った薬粒を取り出す。又は、受け皿入った薬粒を    器具ごと口にあてて、薬粒を口の中へ入れる。
６、薬をのむ。
７、錠剤のシートを捨てる。
【図１】
0003214161.tif 000007
【図２】
0003214161.tif 000008
【図３】
0003214161.tif 000009
【図４】
0003214161.tif 000010
【図５】
0003214161.tif 000011
【図６】
0003214161.tif 000012
【図７】
0003214161.tif 000013
【図８】
0003214161.tif 000014
【手続補正書】
【提出日】平成29年10月11日(2017.10.11)
【手続補正１】
【補正対象書類名】実用新案登録請求の範囲
【補正対象項目名】全文
【補正方法】変更
【補正の内容】
【実用新案登録請求の範囲】
【請求項１】
幅広の棘ぬき型式のＵ字状の形状であり、一方はバネになるようにＵ字状にしてあり、もう一方はまっすぐの二段であり、上段の端の部分には二個、左に普通の大きさのタイプ、右に大きいタイプの凸型の丸形、又は、角形の突起物を付けておき、下段の端には上部の突起物が入るように二個、左に普通サイズのタイプ、右に大きいサイズのタイプの穴の溝を開けておき、その穴の溝の上にシートに包まれた薬粒を置いておき、上段を下に下ろすと、上段の突起物が下段の薬粒の上に落ちて、シートを破って薬粒を取り出すことができることを特徴とする、幅広の棘ぬき型式、錠剤の薬粒取り出し器。
【請求項２】
幅広の棘ぬき型式のＵ字状の形状であり、一方はバネになるようにＵ字状にしてあり、もう一方はまっすぐの二段であり、上段の端の部分には二個、左に普通の大きさのタイプ、右に大きいタイプの凸型の丸形、又は、角形の突起物を付けておき、下段の端には上部の突起物が入るように二個、左に普通サイズのタイプ、右に大きいサイズのタイプの穴の溝を開けておき、その下には水平面、又は、曲面状の底面を有し、薬粒を受ける箱型の受け皿を付けておき、シートに包まれた薬粒を穴の溝の上に置いておき、上段を下に下ろすと、上段の突起物が下段の薬粒の上に落ちて、シートを破って薬粒を取り出すことができることを特徴とする、幅広の棘ぬき型式、錠剤の薬粒取り出し器。
【請求項３】
幅広の棘ぬき型式のＵ字状の形状であり、一方はバネになるようにＵ字状にしてあり、もう一方はまっすぐの二段であり、上段の端の部分に三個、左に小の大きさのサイズのタイプ、中に中の大きさのサイズのタイプ、右に大きいサイズのタイプの凸型の丸形、又は、角形の突起物を付けておき、下段の端には上部の突起物が入るように三個、左に小のサイズ、中に中のサイズ、右に大のサイズの穴の溝を開けておき、その穴の溝の上にシートに包まれた薬粒を置いておき、上段を下に下ろすと、上段の突起物が下段の薬粒の上におちて、シートを破って薬粒を取り出すことができることを特徴とする、幅広の棘ぬき型式、錠剤の薬粒取り出し器。
【請求項４】
幅広の棘ぬき型式のＵ字状の形状であり、一方はバネになるようにＵ字状にしてあり、もう一方はまっすぐの二段であり、上段の端の部分に三個、左に小の大きさのサイズのタイプ、中に中の大きさのサイズのタイプ、右に大きいサイズのタイプの凸型の丸形、又は、角形の突起物を付けておき、下段の端には上部の突起物が入るように三個、左に小のサイズ、中に中のサイズ、右に大のサイズの穴の溝を開けておき、その下には水平面、又は、曲面状の底面を有し、薬粒を受ける箱型の受け皿を付けておき、シートに包まれた薬粒を穴の溝の上に置いて、上段を下に下ろすと、上段の突起物が下段の薬粒の上に落ちて、シートを破って薬粒を取り出すことができることを特徴とする、幅広の棘ぬき型式、錠剤の薬粒取り出し器。